【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
ゲートオン電圧とゲートオフ電圧からなる複数の一般ゲート信号を伝達する複数のゲート線と、
前記ゲート線と交差し複数のデータ電圧を伝達する複数のデータ線と、
前記ゲート線と平行に延長され複数の維持信号を伝達する複数の維持電極線と、
前記ゲート線及び前記データ線に接続されるスイッチング素子と、該スイッチング素子と共通電圧の間に接続される液晶キャパシタと、前記スイッチング素子と前記維持電極線の間に接続されるストレージキャパシタとを各々有し、行列状に配列される複数の画素と、
前記ゲート線に接続され、前記一般ゲート信号に基づいて類似ゲート信号を生成する複数の類似ゲート駆動回路と、
前記維持電極線に接続され、前記類似ゲート信号に基づいて前記維持信号を生成する複数の維持信号生成回路とを有し、
前記維持信号生成回路は、前記各画素に印加される維持信号を、前記液晶キャパシタ及び前記ストレージキャパシタに前記データ電圧の充電が完了した直後に、前記維持電極線に印加することを特徴とする表示装置。
【請求項２】
充電される前記データ電圧が正極性である場合、前記維持信号は低レベルから高レベルに変化し、前記充電されるデータ電圧が負極性である場合、前記維持信号は高レベルから低レベルに変化することを特徴とする請求項１に記載の表示装置。
【請求項３】
前記類似ゲート駆動回路は、前記一般ゲート信号を所定の時間遅延させて前記類似ゲート信号を生成することを特徴とする請求項２に記載の表示装置。
【請求項４】
前記所定の時間は、２水平周期［２Ｈ］であることを特徴とする請求項３に記載の表示装置。
【請求項５】
前記共通電圧は、一定の値を有することを特徴とする請求項４に記載の表示装置。
【請求項６】
前記ゲート線に接続され、前記一般ゲート信号を生成するゲート駆動部をさらに有し、該ゲート駆動部は、両方向ゲート駆動部であることを特徴とする請求項５に記載の表示装置。
【請求項７】
各前記類似ゲート駆動回路は、前記ゲート線に対応する前記一般ゲート信号に応えて出力電圧を印加する入力部と、
前記出力電圧に基づいた第１クロック信号に応えて、類似ゲート信号を印加する出力部と、
前記出力部に接続されて、前記ゲートオフ電圧、第２クロック信号、及び前記出力電圧が印加され、前記第１クロック信号の状態変化に応じて前記類似ゲート信号の状態を安定化させる安定化部と、
前記安定化部に接続されて、前記ゲートオフ電圧、次段の類似ゲート信号と前段の類似ゲート信号、及び前記出力電圧が印加され、前記第１クロック信号の状態変化に応じて前記出力電圧の状態を安定化させ、前記類似ゲート駆動回路の動作をリセットするリセット部とを含むことを特徴とする請求項５に記載の表示装置。
【請求項８】
前記第２クロック信号は、前記ゲートオン電圧と同一のパルス幅を有し、前記第１クロック信号と１８０゜の位相差を有することを特徴とする請求項７に記載の表示装置。
【請求項９】
前記第１及び第２クロック信号の高レベル電圧は、ゲートオン電圧と同一であり、第１及び第２クロック信号の低レベル電圧は、ゲートオフ電圧と同一であることを特徴とする請求項７に記載の表示装置。
【請求項１０】
前記次段及び前段の類似ゲート信号のゲートオン電圧と入力される前記一般ゲート信号のゲートオン電圧との印加時期の差は、２水平周期［２Ｈ］であることを特徴とする請求項７に記載の表示装置。
【請求項１１】
前記入力部は、前記一般ゲート信号が入力端子と制御端子とに入力され、出力端子から前記出力電圧を出力する第１スイッチング素子を含むことを特徴とする請求項７に記載の表示装置。
【請求項１２】
前記出力部は、前記第１クロック信号が入力端子に入力され、前記出力電圧が制御端子に入力されて出力端子から前記類似ゲート信号を出力する第２スイッチング素子と、
前記第２スイッチング素子の制御端子と出力端子の間に接続される第１キャパシタとを含むことを特徴とする請求項１１に記載の表示装置。
【請求項１３】
前記安定化部は、前記第２スイッチング素子の出力端子に接続された入力端子と、前記第２クロック信号に接続された制御端子と、前記ゲートオフ電圧に接続された出力端子を含む第３スイッチング素子と、
前記第２スイッチング素子の前記出力端子に接続された入力端子と、前記ゲートオフ電圧に接続された出力端子と、前記第１クロック信号に接続された第２キャパシターと、制御端子を含む第４スイッチング素子と、
前記第４スイッチング素子の前記制御端子に接続された入力端子、前記出力電圧に接続された制御端子、前記ゲートオフ電圧に接続された出力端子を含む第５スイッチング素子と、を含むことを特徴とする請求項１１に記載の表示装置。
【請求項１４】
前記リセット部は、前記出力電圧に接続された入力端子と、前記第４スイッチング素子の前記制御端子に接続された制御端子と、前記ゲートオフ電圧に接続された出力端子を含む第６スイッチング素子と、
前記出力電圧に接続された入力端子と、前記次段の類似ゲート信号に接続された制御端子と、前記ゲートオフ電圧に接続された出力端子を含む第７スイッチング素子と、
前記出力電圧に接続された入力端子と、前記前段の類似ゲート信号に接続された制御端子と、前記ゲートオフ電圧に接続された出力端子を含む第８スイッチング素子と、を含むことを特徴とする請求項１１に記載の表示装置。
【請求項１５】
前記維持信号生成回路は、それぞれのフレームに対応して生成された維持信号の電圧レベルを反転することにより、複数のフレームからなる画像を表示することを特徴とする請求項１に記載の表示装置。
【手続補正２】
【補正対象書類名】明細書
【補正対象項目名】０００７
【補正方法】変更
【補正の内容】
【０００７】
上記目的を達成するためになされた本発明による表示装置は、ゲートオン電圧とゲートオフ電圧からなる複数の一般ゲート信号を伝達する複数のゲート線と、前記ゲート線と交差し複数のデータ電圧を伝達する複数のデータ線と、前記ゲート線と平行に延長され複数の維持信号を伝達する複数の維持電極線と、前記ゲート線及び前記データ線に接続されるスイッチング素子と、該スイッチング素子と共通電圧の間に接続される液晶キャパシタと、前記スイッチング素子と前記維持電極線の間に接続されるストレージキャパシタとを各々有し、行列状に配列される複数の画素と、前記ゲート線に接続され、前記一般ゲート信号に基づいて類似ゲート信号を生成する複数の類似ゲート駆動回路と、前記維持電極線に接続され、前記類似ゲート信号に基づいて前記維持信号を生成する複数の維持信号生成回路とを有し、前記維持信号生成回路は、前記各画素に印加される維持信号を、前記液晶キャパシタ及び前記ストレージキャパシタに前記データ電圧の充電が完了した直後に、前記維持電極線に印加することを特徴とする。
【手続補正３】
【補正対象書類名】明細書
【補正対象項目名】０００８
【補正方法】変更
【補正の内容】
【０００８】
充電される前記データ電圧が正極性である場合、前記維持信号は低レベルから高レベルに変化し、前記充電されるデータ電圧が負極性である場合、前記維持信号は高レベルから低レベルに変化することが好ましい。
前記類似ゲート駆動回路は、前記一般ゲート信号を所定の時間遅延させて前記類似ゲート信号を生成することが好ましい。
この時、前記所定の時間は、２水平周期［２Ｈ］であることが好ましい。
前記共通電圧は、一定の値を有することが好ましい。
前記ゲート線に接続され、前記一般ゲート信号を生成するゲート駆動部をさらに有し、該ゲート駆動部は、両方向ゲート駆動部であることが好ましい。。
【手続補正４】
【補正対象書類名】明細書
【補正対象項目名】０００９
【補正方法】変更
【補正の内容】
【０００９】
各前記類似ゲート駆動回路は、前記ゲート線に対応する前記一般ゲート信号に応えて出力電圧を印加する入力部と、前記出力電圧に基づいた第１クロック信号に応えて、類似ゲート信号を印加する出力部と、前記出力部に接続されて、前記ゲートオフ電圧、第２クロック信号、及び前記出力電圧が印加され、前記第１クロック信号の状態変化に応じて前記類似ゲート信号の状態を安定化させる安定化部と、前記安定化部に接続されて、前記ゲートオフ電圧、次段の類似ゲート信号と前段の類似ゲート信号、及び前記出力電圧が印加され、前記第１クロック信号の状態変化に応じて前記出力電圧の状態を安定化させ、前記類似ゲート駆動回路の動作をリセットするリセット部と、を含むことが好ましい。
前記第２クロック信号は、前記ゲートオン電圧と同一のパルス幅を有し、前記第１クロック信号と１８０゜の位相差を有することが好ましい。
前記第１及び第２クロック信号の高レベル電圧は、ゲートオン電圧と同一であり、第１及び第２クロック信号の低レベル電圧は、ゲートオフ電圧と同一であることが好ましい。
前記次段及び前段の類似ゲート信号のゲートオン電圧と入力される前記一般ゲート信号のゲートオン電圧との印加時期の差は、２水平周期［２Ｈ］であることが好ましい。
【手続補正５】
【補正対象書類名】明細書
【補正対象項目名】００１０
【補正方法】変更
【補正の内容】
【００１０】
前記入力部は、前記一般ゲート信号が入力端子と制御端子とに入力され、出力端子から前記出力電圧を出力する第１スイッチング素子を含むことを特徴とする請求項７に記載の表示装置。
前記出力部は、前記第１クロック信号が入力端子に入力され、前記出力電圧が制御端子に入力されて出力端子から前記類似ゲート信号を出力する第２スイッチング素子と、前記第２スイッチング素子の制御端子と出力端子の間に接続される第１キャパシタとを含むことが好ましい。
前記安定化部は、前記第２スイッチング素子の出力端子に接続された入力端子と、前記第２クロック信号に接続された制御端子と、前記ゲートオフ電圧に接続された出力端子を含む第３スイッチング素子と、前記第２スイッチング素子の前記出力端子に接続された入力端子と、前記ゲートオフ電圧に接続された出力端子と、前記第１クロック信号に接続された第２キャパシターと、制御端子を含む第４スイッチング素子と、前記第４スイッチング素子の前記制御端子に接続された入力端子、前記出力電圧に接続された制御端子、前記ゲートオフ電圧に接続された出力端子を含む第５スイッチング素子と、を含むことが好ましい。
【手続補正６】
【補正対象書類名】明細書
【補正対象項目名】００１１
【補正方法】変更
【補正の内容】
【００１１】
前記リセット部は、前記出力電圧に接続された入力端子と、前記第４スイッチング素子の前記制御端子に接続された制御端子と、前記ゲートオフ電圧に接続された出力端子を含む第６スイッチング素子と、前記出力電圧に接続された入力端子と、前記次段の類似ゲート信号に接続された制御端子と、前記ゲートオフ電圧に接続された出力端子を含む第７スイッチング素子と、前記出力電圧に接続された入力端子と、前記前段の類似ゲート信号に接続された制御端子と、前記ゲートオフ電圧に接続された出力端子を含む第８スイッチング素子と、を含むことが好ましい。
前記維持信号生成回路は、それぞれのフレームに対応して生成された維持信号の電圧レベルを反転することにより、複数のフレームからなる画像を表示することが好ましい。